(57)【要約】【課題】係止部材の状態を適正に検知することができるコネクタを提供することを目的とする。【解決手段】ワイヤハーネスＷＨのコネクタ１は、端子挿入室３４Ｂ、及び、嵌合凹部３７とを有するハウジング３と、嵌合凹部３７に設けられ仮嵌合位置と本嵌合位置とに移動可能であると共に端子２Ｂが正規位置まで達してない状態では仮嵌合位置から本嵌合位置へ移動不能である係止部材４と、ハウジング３に設けられる第１空間部５１、及び、第２空間部５２とを備え、第１空間部５１と第２空間部５２とは、嵌合凹部３７が開放された状態でともに嵌合凹部３７側が開放され、係止部材４が仮嵌合位置にある状態でともに嵌合凹部３７側が閉塞され、係止部材４が本嵌合位置にある状態で第１空間部５１の嵌合凹部３７側が閉塞され第２空間部５２の嵌合凹部３７側が開放される。【選択図】図１
2017033663.tif 000002
【特許請求の範囲】
【請求項１】
端子を挿入可能である端子挿入室、及び、前記端子挿入室と交差する方向に延在し当該端子挿入室と連続する嵌合凹部とを有するハウジングと、
前記嵌合凹部に嵌合可能に設けられ、当該嵌合凹部内において、前記端子挿入室に前記端子を挿入可能とする仮嵌合位置と前記端子挿入室内の正規位置まで挿入された前記端子を係止する本嵌合位置とに移動可能であると共に、前記端子が前記端子挿入室内に挿入されかつ前記正規位置まで達してない状態では前記仮嵌合位置から前記本嵌合位置へ移動不能である係止部材と、
前記ハウジングに開口部を有し延在して設けられ前記嵌合凹部と連続する第１空間部と、
前記ハウジングに開口部を有し前記第１空間部と並行して延在して設けられ前記嵌合凹部と連続する第２空間部とを備え、
前記第１空間部と前記第２空間部とは、前記嵌合凹部が開放された状態でともに前記嵌合凹部側が開放され、前記係止部材が前記仮嵌合位置にある状態で前記係止部材によってともに前記嵌合凹部側の少なくとも一部が閉塞され、前記係止部材が前記本嵌合位置にある状態で前記係止部材によって前記第１空間部の前記嵌合凹部側の少なくとも一部が閉塞され前記第２空間部の前記嵌合凹部側が開放されることを特徴とする、
コネクタ。
【請求項２】
前記ハウジングは、当該ハウジングを固定部に保持するための保持部材が設けられると共に前記嵌合凹部が開口する保持部材設置空間部を有し、
前記係止部材は、前記仮嵌合位置で少なくとも一部が前記嵌合凹部の前記保持部材設置空間部側への開口部から前記保持部材設置空間部に突出し、前記本嵌合位置で当該一部が前記保持部材設置空間部から退避している、
請求項１に記載のコネクタ。
【請求項３】
前記ハウジングは、前記保持部材設置空間部を区画すると共に前記保持部材設置空間部に設けられた前記保持部材を保持するハウジング側保持部を有し、
前記係止部材は、前記本嵌合位置で前記ハウジング側保持部と連続して前記保持部材設置空間部を区画すると共に前記保持部材設置空間部に設けられた前記保持部材を保持する係止部材側保持部を有する、
請求項２に記載のコネクタ。
【請求項４】
前記第２空間部は、前記保持部材設置空間部として兼用される、
請求項２又は請求項３に記載のコネクタ。
【請求項５】
前記第１空間部、及び、前記第２空間部に挿入される検査治具のストローク量に応じて前記係止部材の状態が検知される、
請求項１乃至請求項４のいずれか１項に記載のコネクタ。
【発明の詳細な説明】
【技術分野】
【０００１】
本発明は、コネクタに関する。
【背景技術】
【０００２】
ワイヤハーネスに適用される従来のコネクタとして、例えば、特許文献１には、端子金具が挿入されるコネクタハウジングに、端子金具を二重係止するためのリテーナと、コネクタハウジングを相手部材に取着するためのクリップとが取り付け可能に備えられたコネクタが開示されている。そして、このコネクタのリテーナはクリップの取付部位に臨んで取り付け可能であり、かつ、このリテーナが正規位置に取り付けられた場合にクリップの取付部位を開放してこのクリップの正規位置への取り付けを許容するようになっている。
【先行技術文献】
【特許文献】
【０００３】
【特許文献１】特開平１０−３９５９号公報
【発明の概要】
【発明が解決しようとする課題】
【０００４】
ところで、上述の特許文献１に記載のコネクタは、上記のように構成されることで、クリップを利用して端子金具を係止するための係止部材であるリテーナが正規の位置に取り付けられたか否かを検知しているが、例えば、係止部材の状態をより詳細に検知可能な構成が望まれている。
【０００５】
本発明は、上記の事情に鑑みてなされたものであって、係止部材の状態を適正に検知することができるコネクタを提供することを目的とする。
【課題を解決するための手段】
【０００６】
上記目的を達成するために、本発明に係るコネクタは、端子を挿入可能である端子挿入室、及び、前記端子挿入室と交差する方向に延在し当該端子挿入室と連続する嵌合凹部とを有するハウジングと、前記嵌合凹部に嵌合可能に設けられ、当該嵌合凹部内において、前記端子挿入室に前記端子を挿入可能とする仮嵌合位置と前記端子挿入室内の正規位置まで挿入された前記端子を係止する本嵌合位置とに移動可能であると共に、前記端子が前記端子挿入室内に挿入されかつ前記正規位置まで達してない状態では前記仮嵌合位置から前記本嵌合位置へ移動不能である係止部材と、前記ハウジングに開口部を有し延在して設けられ前記嵌合凹部と連続する第１空間部と、前記ハウジングに開口部を有し前記第１空間部と並行して延在して設けられ前記嵌合凹部と連続する第２空間部とを備え、前記第１空間部と前記第２空間部とは、前記嵌合凹部が開放された状態でともに前記嵌合凹部側が開放され、前記係止部材が前記仮嵌合位置にある状態で前記係止部材によってともに前記嵌合凹部側の少なくとも一部が閉塞され、前記係止部材が前記本嵌合位置にある状態で前記係止部材によって前記第１空間部の前記嵌合凹部側の少なくとも一部が閉塞され前記第２空間部の前記嵌合凹部側が開放されることを特徴とする。
【０００７】
また、上記コネクタでは、前記ハウジングは、当該ハウジングを固定部に保持するための保持部材が設けられると共に前記嵌合凹部が開口する保持部材設置空間部を有し、前記係止部材は、前記仮嵌合位置で少なくとも一部が前記嵌合凹部の前記保持部材設置空間部側への開口部から前記保持部材設置空間部に突出し、前記本嵌合位置で当該一部が前記保持部材設置空間部から退避しているものとすることができる。
【０００８】
また、上記コネクタでは、前記ハウジングは、前記保持部材設置空間部を区画すると共に前記保持部材設置空間部に設けられた前記保持部材を保持するハウジング側保持部を有し、前記係止部材は、前記本嵌合位置で前記ハウジング側保持部と連続して前記保持部材設置空間部を区画すると共に前記保持部材設置空間部に設けられた前記保持部材を保持する係止部材側保持部を有するものとすることができる。
【０００９】
また、上記コネクタでは、前記第２空間部は、前記保持部材設置空間部として兼用されるものとすることができる。
【００１０】
また、上記コネクタでは、前記第１空間部、及び、前記第２空間部に挿入される検査治具のストローク量に応じて前記係止部材の状態が検知されるものとすることができる。
【００１１】
なお、本発明に係るワイヤハーネスは、電線と、前記電線の末端に接続されたコネクタとを備え、前記コネクタは、端子を挿入可能である端子挿入室、及び、前記端子挿入室と交差する方向に延在し当該端子挿入室と連続する嵌合凹部とを有するハウジングと、前記嵌合凹部に嵌合可能に設けられ、当該嵌合凹部内において、前記端子挿入室に前記端子を挿入可能とする仮嵌合位置と前記端子挿入室内の正規位置まで挿入された前記端子を係止する本嵌合位置とに移動可能であると共に、前記端子が前記端子挿入室内に挿入されかつ前記正規位置まで達してない状態では前記仮嵌合位置から前記本嵌合位置へ移動不能である係止部材と、前記ハウジングに開口部を有し延在して設けられ前記嵌合凹部と連続する第１空間部と、前記ハウジングに開口部を有し前記第１空間部と並行して延在して設けられ前記嵌合凹部と連続する第２空間部とを備え、前記第１空間部と前記第２空間部とは、前記嵌合凹部が開放された状態でともに前記嵌合凹部側が開放され、前記係止部材が前記仮嵌合位置にある状態で前記係止部材によってともに前記嵌合凹部側の少なくとも一部が閉塞され、前記係止部材が前記本嵌合位置にある状態で前記係止部材によって前記第１空間部の前記嵌合凹部側の少なくとも一部が閉塞され前記第２空間部の前記嵌合凹部側が開放されることを特徴とする。
【００１２】
また、本発明に係るコネクタ検査装置は、端子を挿入可能である端子挿入室、及び、前記端子挿入室と交差する方向に延在し当該端子挿入室と連続する嵌合凹部とを有するハウジングと、前記嵌合凹部に嵌合可能に設けられ、当該嵌合凹部内において、前記端子挿入室に前記端子を挿入可能とする仮嵌合位置と前記端子挿入室内の正規位置まで挿入された前記端子を係止する本嵌合位置とに移動可能であると共に、前記端子が前記端子挿入室内に挿入されかつ前記正規位置まで達してない状態では前記仮嵌合位置から前記本嵌合位置へ移動不能である係止部材と、前記ハウジングに開口部を有し延在して設けられ前記嵌合凹部と連続する第１空間部と、前記ハウジングに開口部を有し前記第１空間部と並行して延在して設けられ前記嵌合凹部と連続する第２空間部とを含んで構成され、前記第１空間部と前記第２空間部とは、前記嵌合凹部が開放された状態でともに前記嵌合凹部側が開放され、前記係止部材が前記仮嵌合位置にある状態で前記係止部材によってともに前記嵌合凹部側の少なくとも一部が閉塞され、前記係止部材が前記本嵌合位置にある状態で前記係止部材によって前記第１空間部の前記嵌合凹部側の少なくとも一部が閉塞され前記第２空間部の前記嵌合凹部側が開放されるコネクタの、前記第１空間部、及び、前記第２空間部に挿入される検査治具と、前記検査治具のストローク量を検出する検出部と、前記検出部によって検出される前記検査治具のストローク量に基づいて前記係止部材の状態を検知する検知部とを備えることを特徴とする。
【００１３】
また、上記コネクタ検査装置では、前記検査治具は、前記第１空間部に挿入される第１挿入部と、前記第２空間部に挿入される第２挿入部と、前記第１挿入部と前記第２挿入部とを連結する連結部とを有し、前記第１挿入部と前記第２挿入部とが前記連結部によって連結された状態で前記第１挿入部より前記第２挿入部の方が長く形成され、前記検知部は、前記検出部によって検出される前記検査治具のストローク量が予め設定される本嵌合判定閾値と同等である場合に前記係止部材が前記本嵌合位置にあるものと検知し、前記検出部によって検出される前記検査治具のストローク量が前記本嵌合判定閾値より短い場合に前記係止部材が前記仮嵌合位置にあるものと検知し、前記検出部によって検出される前記検査治具のストローク量が前記本嵌合判定閾値より長い場合に前記係止部材が前記嵌合凹部に設けられていないものと検知するものとすることができる。
【発明の効果】
【００１４】
本発明に係るコネクタは、ハウジングに設けられた第１空間部、第２空間部の嵌合凹部側の状態に基づいて、例えば、係止部材がハウジングの嵌合凹部に設けられておらず当該嵌合凹部が開放されている状態と、係止部材が嵌合凹部内の仮嵌合位置にある状態と、係止部材が嵌合凹部内の本嵌合位置にある状態とを区別して検知することができる。これにより、コネクタは、係止部材の状態を適正に検知することができる、という効果を奏する。
【図面の簡単な説明】
【００１５】
【図１】図１は、実施形態に係るコネクタの概略構成を表す分解斜視図である。
【図２】図２は、実施形態に係るコネクタの概略構成を表す斜視図である。
【図３】図３は、実施形態に係るコネクタが備えるハウジングの端子挿入室の端子挿入開口部側の正面図である。
【図４】図４は、図３に示すＡ−Ａ断面図である。
【図５】図５は、図３に示すＢ−Ｂ断面図である。
【図６】図６は、図３に示すＣ−Ｃ断面図である。
【図７】図７は、実施形態に係るコネクタが備えるスペーサの概略構成を表す斜視図である。
【図８】図８は、実施形態に係るコネクタが備えるスペーサの概略構成を表す斜視図である。
【図９】図９は、実施形態に係るコネクタが備えるスペーサの正面図である。
【図１０】図１０は、図９に示すＤ−Ｄ断面図である。
【図１１】図１１は、実施形態に係るコネクタが備えるスペーサが設けられていない状態を表す部分断面図である。
【図１２】図１２は、実施形態に係るコネクタが備えるスペーサが仮嵌合位置にある状態を表す部分断面図である。
【図１３】図１３は、実施形態に係るコネクタが備えるスペーサが仮嵌合位置にある状態を表す部分的な正面図である。
【図１４】図１４は、実施形態に係るコネクタが備えるスペーサが本嵌合位置にある状態を表す部分断面図である。
【図１５】図１５は、実施形態に係るコネクタが備えるスペーサが本嵌合位置にある状態を表す部分的な正面図である。
【図１６】図１６は、実施形態に係るコネクタに設けられるクリップの概略構成を表す斜視図である。
【図１７】図１７は、実施形態に係るコネクタに設けられる解除治具挿入開口部を含む部分断面図である。
【図１８】図１８は、実施形態に係るコネクタに設けられる解除治具挿入開口部を含む部分断面図である。
【図１９】図１９は、変形例に係るコネクタが備えるスペーサの概略構成を表す斜視図である。
【図２０】図２０は、変形例に係るコネクタの概略構成を表す斜視図である。
【発明を実施するための形態】
【００１６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１７】
［実施形態］
図１は、実施形態に係るコネクタの概略構成を表す分解斜視図である。図２は、実施形態に係るコネクタの概略構成を表す斜視図である。図３は、実施形態に係るコネクタが備えるハウジングの端子挿入室の端子挿入開口部側の正面図である。図４は、図３に示すＡ−Ａ断面図である。図５は、図３に示すＢ−Ｂ断面図である。図６は、図３に示すＣ−Ｃ断面図である。図７、図８は、実施形態に係るコネクタが備えるスペーサの概略構成を表す斜視図である。図９は、実施形態に係るコネクタが備えるスペーサの正面図である。図１０は、図９に示すＤ−Ｄ断面図である。図１１は、実施形態に係るコネクタが備えるスペーサが設けられていない状態を表す部分断面図である。図１２は、実施形態に係るコネクタが備えるスペーサが仮嵌合位置にある状態を表す部分断面図である。図１３は、実施形態に係るコネクタが備えるスペーサが仮嵌合位置にある状態を表す部分的な正面図である。図１４は、実施形態に係るコネクタが備えるスペーサが本嵌合位置にある状態を表す部分断面図である。図１５は、実施形態に係るコネクタが備えるスペーサが本嵌合位置にある状態を表す部分的な正面図である。図１６は、実施形態に係るコネクタに設けられるクリップの概略構成を表す斜視図である。図１７、図１８は、実施形態に係るコネクタに設けられる解除治具挿入開口部を含む部分断面図である。なお、図４、図５、図６は、相手方コネクタを二点鎖線で図示している。また、図４、図５は、端子、及び、当該端子に接続される電線を二点鎖線で図示している。
【００１８】
図１、図２、図３、図４、図５、図６に示す本実施形態のコネクタ１は、例えば、自動車等に使用されるワイヤハーネスＷＨ等に適用される。ここでは、コネクタ１は、ワイヤハーネスＷＨを構成する電線Ｗ（図４、５等参照）と他の電線とを接続する電線対電線接続用の接続機構や電線Ｗと電気機器とを接続する電線対電気機器接続用の接続機構に使用されるオス型のコネクタである。ここで、電線Ｗは、例えば、複数の導電性の金属素線を撚り合わせた導体部（芯線）と、当該導体部の外側を覆う絶縁性の被覆部とを含んで構成される。コネクタ１は、ワイヤハーネスＷＨを構成する電線Ｗの末端に接続され、嵌合空間部３３に相手方コネクタＦＣ（図４、図５、図６参照）が嵌合され電気的に接続される。ここで、相手方コネクタＦＣは、メス型のコネクタであり、相手方端子としての複数のメス型の端子ＦＣＴと、当該端子ＦＣＴを保持するメス型のコネクタハウジングＦＣＨとを備える。相手方コネクタＦＣは、コネクタハウジングＦＣＨの内側に複数の端子ＦＣＴが支持される。本実施形態のコネクタ１は、電線Ｗの末端に設けられたオス型の端子２を保持するハウジングとしてのオス型のコネクタハウジング３と、コネクタハウジング３に組み付けられる係止部材としてのスペーサ４とを備え、コネクタハウジング３の嵌合空間部３３に相手方コネクタＦＣのコネクタハウジングＦＣＨが嵌合し、端子２が相手方コネクタＦＣの端子ＦＣＴと電気的に接続される。以下、各図を参照してコネクタ１の構成について詳細に説明する。
【００１９】
なお、以下の説明では、互いに交差する第１方向、第２方向、及び、第３方向のうち、第１方向を「軸方向」といい、第２方向を「幅方向」といい、第３方向を「高さ方向」という。ここでは、軸方向と幅方向と高さ方向とは、相互に直交する。軸方向は、典型的には、コネクタハウジング３に形成される後述の端子挿入室３４の延在方向に沿った方向、さらに言えば、端子挿入室３４に端子２を挿入する際の挿入方向に沿った方向であり、軸方向（挿入方向）前側に相手方コネクタＦＣが位置し、軸方向（挿入方向）後側に電線Ｗが延在する。以下の説明で用いる各方向は、特に断りのない限り、各部が相互に組み付けられた状態での方向を表すものとする。
【００２０】
コネクタ１に設けられる端子２（図４、図５参照）は、コネクタハウジング３に形成された端子挿入室３４に挿入され収容されるコネクタ用のオス型の端子金具である。端子２は、コネクタ１が設けられる電線Ｗの末端に接続される。ここでは、端子２は、オス型の角型端子として構成される。端子２は、端子ＦＣＴと電気的に接続される電気接続部２ａ、電線Ｗの導体部と電気的に接続される電線接続部２ｂ、コネクタハウジング３に係止される被係止部２ｃ等を含んで構成され、全体が導電性の金属によって構成される。電気接続部２ａは、軸方向に沿って棒状に形成され、端子ＦＣＴ内に挿入され当該端子ＦＣＴと電気的に接続される部分であり、端子２において軸方向前側の端部を構成する。電線接続部２ｂは、電線Ｗの導体部に加締められる導体圧着部、電線Ｗの絶縁被覆部に加締められる被覆圧着部等を含んで構成され、端子２において軸方向後側の端部を構成する。被係止部２ｃは、コネクタハウジング３に設けられた後述の可撓アームランス（以下、単に「ランス」という場合がある。）３５に係止される部分であり、電気接続部２ａと被係止部２ｃとの間に段付き部分として形成される。端子２は、例えば、各部に対応した形状に打ち抜かれた一枚の板金をプレス成形することにより各部が一体で形成される。端子２は、コネクタ１に複数設けられる。
【００２１】
本実施形態のコネクタ１に設けられる複数の端子２は、複数の第１端子２Ａ（図４参照）と、当該第１端子２Ａより外形の小さい第２端子２Ｂ（図５参照）とを含んで構成される。ここでは、相対的に小さな端子２である第２端子２Ｂは、被係止部２ｃを介した係止に加えてスペーサ４によって二重係止されることで、適正な端子保持力が確保される。本実施形態の第２端子２Ｂは、スペーサ４の一部が嵌合されることでコネクタハウジング３に係止されるための被係止嵌合部２ｄを含んで構成される。被係止嵌合部２ｄは、電気接続部２ａと電線接続部２ｂとの間に凹部状に形成される。なお、以下の説明では、第１端子２Ａ、第２端子２Ｂを特に区別して説明する必要がない場合には、単に端子２という。
【００２２】
コネクタハウジング３は、端子２を保持するものである。コネクタハウジング３は、相手方コネクタＦＣが嵌合する嵌合空間部３３が形成されるフード部３１と、端子２を挿入可能である端子挿入室３４等が形成される端子保持部３２とを有し、全体が絶縁性の合成樹脂材等によって一体で構成される。コネクタハウジング３は、端子保持部３２、フード部３１の外形がともに略直方体形状に形成され、フード部３１が軸方向前側に位置し端子保持部３２が軸方向後側に位置するような位置関係で一体成形され、全体が略直方体形状に形成される。
【００２３】
フード部３１は、相手方コネクタＦＣのコネクタハウジングＦＣＨが嵌合する嵌合空間部３３を有する。フード部３１は、矩形筒状に形成され、中空状の内部に嵌合空間部３３が形成される。嵌合空間部３３は、コネクタハウジングＦＣＨの外形形状に応じて当該コネクタハウジングＦＣＨが嵌合可能な大きさ、形状の空間部として形成され、ここでは、軸方向と直交する断面形状が略矩形状に形成される。嵌合空間部３３は、軸方向前側にコネクタ嵌合開口部３３ａが形成される。コネクタ嵌合開口部３３ａは、コネクタハウジングＦＣＨが嵌合される開口部としてフード部３１の外部に対して軸方向前側に向けて開口する。フード部３１は、コネクタ嵌合開口部３３ａを介して嵌合空間部３３にコネクタハウジングＦＣＨが嵌合される。嵌合空間部３３は、コネクタハウジング３に保持された各端子２の電気接続部２ａが露出する。
【００２４】
端子保持部３２は、端子挿入室３４と、係止爪としてのランス３５と、隣接空間部３６と、嵌合凹部３７と、スペーサ係止突起部３８とを有し、各部が一体的に形成される。このコネクタハウジング３の端子保持部３２は、端子挿入室３４に対して軸方向後側から端子２が挿入され、これを保持する。本実施形態の端子保持部３２は、多数の端子挿入室３４を有し、各端子挿入室３４にそれぞれ端子２が挿入される。
【００２５】
端子挿入室３４は、端子２を軸方向に沿って挿入可能な空間部であり、キャビティとも呼ばれることがある。端子挿入室３４は、コネクタハウジング３の端子保持部３２の内部に延在して中空状に形成され、端子２を収容する。端子挿入室３４は、軸方向に沿って延在する。端子挿入室３４は、端子２の外形形状に応じて当該端子２が挿入可能な大きさ、形状の空間部として形成され、ここでは、軸方向と直交する断面形状が略矩形状に形成される。端子挿入室３４は、軸方向後側に端子挿入開口部３４ａが形成され、軸方向前側に端子突出開口部３４ｂが形成される。端子挿入開口部３４ａは、端子２が挿入される開口部として端子保持部３２の外部に対して軸方向後側に向けて開口する。端子突出開口部３４ｂは、端子２の電気接続部２ａが端子挿入室３４側から嵌合空間部３３側に突出するための開口部として嵌合空間部３３に開口する。端子保持部３２は、端子挿入開口部３４ａを介して端子挿入室３４に端子２が挿入されると共に、端子２が端子挿入室３４内の正規位置まで挿入された状態で、端子２の電気接続部２ａが端子突出開口部３４ｂを介して嵌合空間部３３に突出し露出する。端子２の先端は、端子２が端子挿入室３４内の正規位置まで挿入された状態で、嵌合空間部３３内に位置している。ここで、端子２の端子挿入室３４内での正規位置とは、後述するランス３５によって適正な端子保持力で端子挿入室３４内に係止され保持される位置であり、端子２の電気接続部２ａが嵌合空間部３３内にて端子ＦＣＴと適正に電気的に接続される位置まで突出した位置である。この端子挿入室３４は、コネクタ１に設けられる複数の端子２の数に応じて複数設けられる。
【００２６】
本実施形態の複数の端子挿入室３４は、それぞれ第１端子２Ａが挿入される複数の第１端子挿入室３４Ａ（図４参照）と、それぞれ第２端子２Ｂが挿入される複数の第２端子挿入室３４Ｂ（図５参照）とを含んで構成される。ここでは、第１端子挿入室３４Ａは、端子保持部３２の幅方向の一方側の端部に幅方向に沿って２列、高さ方向に沿って２段の４個、幅方向の他方側の端部に幅方向に沿って３列、高さ方向に沿って２段の６個、合計１０個が設けられる。第２端子挿入室３４Ｂは、端子保持部３２の幅方向の中央部に幅方向に沿って５列、高さ方向に沿って２段の合計１０個が設けられる。なお、以下の説明では、第１端子挿入室３４Ａ、第２端子挿入室３４Ｂを特に区別して説明する必要がない場合には、単に端子挿入室３４という。
【００２７】
ランス３５（図４、図５参照）は、端子２を端子挿入室３４内の正規位置に係止するための係止機構を構成するものである。ランス３５は、各端子挿入室３４内にそれぞれ１つずつ設けられる。ランス３５は、可撓性を有するアーム状に形成される。ランス３５は、端子挿入室３４を形成する内壁面から当該端子挿入室３４の延在方向、すなわち、軸方向に沿って突出するようにして形成される。ランス３５は、軸方向後側、言い換えれば、端子挿入開口部３４ａ側が基端部となり、軸方向前側、言い換えれば、端子突出開口部３４ｂ側が先端部となるように軸方向に沿って形成される。ランス３５は、端子挿入開口部３４ａ側の基端部で弾性変形可能な片持ち状に支持され、端子突出開口部３４ｂ側の先端部が自由端となる。ランス３５は、先端部の端子挿入室３４側の面に係合爪部（ビーク）３５ａが形成される。ランス３５は、この係合爪部３５ａ側の一部が端子挿入室３４内に突出している。係合爪部３５ａは、端子挿入開口部３４ａ側に斜面３５ｂが形成され、端子突出開口部３４ｂ側に段付き部３５ｃが形成される。係合爪部３５ａの斜面３５ｂは、端子２が端子挿入室３４に挿入される際、当該端子２の先端が当接し、ランス３５全体を押し下げる分力を生じさせる部分である。係合爪部３５ａの段付き部３５ｃは、ランス３５全体が弾性復帰した状態で、端子２に形成される被係止部２ｃに係合し、端子２の離脱を規制する部分である。ランス３５は、係合爪部３５ａの段付き部３５ｃが端子２の被係止部２ｃに係合することで、端子２を端子挿入室３４内の正規位置に係止する。本実施形態のランス３５は、第１端子挿入室３４Ａでは高さ方向一方側の内壁面に形成され（図４参照）、第２端子挿入室３４Ｂでは高さ方向他方側の内壁面に形成されている（図５参照）。
【００２８】
隣接空間部３６（図４、図５参照）は、端子保持部３２において、端子２の挿入方向、すなわち、軸方向に沿って端子挿入室３４と並行して延在して形成される。隣接空間部３６は、端子保持部３２において、ランス３５の基端部から軸方向に沿って端子突出開口部３４ｂが形成されている側の壁面まで延在し嵌合空間部３３に開口する。隣接空間部３６は、端子挿入室３４のランス３５が設けられる側に隣接して形成される。隣接空間部３６は、ランス３５の係合爪部３５ａが端子２の被係止部２ｃに係合する際に、当該ランス３５が撓むためのランス退避空間として機能すると共に、ランス３５による端子２の係止を解除するための解除ピン等、種々の治具ピンが挿入されるピン挿入空間としても機能する。
【００２９】
嵌合凹部３７（図１、図２、図５、図６参照）は、スペーサ４が嵌合する空間部である。嵌合凹部３７は、端子挿入室３４と交差する方向に延在し当該端子挿入室３４と連続する。本実施形態の嵌合凹部３７は、端子挿入室３４のうち複数の第２端子挿入室３４Ｂと連続する。嵌合凹部３７は、幅方向に対して、端子保持部３２の幅方向中央部において第２端子挿入室３４Ｂが設けられた範囲に形成される。嵌合凹部３７は、端子保持部３２の高さ方向一方側の外面３２ａから高さ方向に沿って底部を有する略矩形状の凹部状に形成される。ここで、外面３２ａは、第２端子挿入室３４Ｂ内においてランス３５が位置する側の面である。つまり、嵌合凹部３７は、高さ方向の一端部側が外面３２ａに開口部３７ａを介して開口する一方、高さ方向の他端部側が閉塞している。嵌合凹部３７は、軸方向に対して、端子挿入開口部３４ａとランス３５との間の位置で第２端子挿入室３４Ｂと連通する。つまり、嵌合凹部３７は、第２端子挿入室３４Ｂの軸方向中間部に連通する。より詳細には、嵌合凹部３７は、外面３２ａに近接した側の各第２端子挿入室３４Ｂ（以下、「上段側の第２端子挿入室３４Ｂ」という場合がある。）に対して連通口３７ｂを介して連通し、外面３２ａから離間した側の各第２端子挿入室３４Ｂ（以下、「下段側の第２端子挿入室３４Ｂ」という場合がある。）に対して連通口３７ｃを介して連通する（図５参照）。そして、連通口３７ｂと連通口３７ｃとは、軸方向前側の端部位置がランス３５の基端部近傍で揃っており、その上で、軸方向の長さが連通口３７ｂより連通口３７ｃの方が短く形成されている。
【００３０】
スペーサ係止突起部３８（図６参照）は、嵌合凹部３７に嵌合された後述のスペーサ４を当該嵌合凹部３７に係止するものである。スペーサ係止突起部３８は、嵌合凹部３７内に爪状の突起部として形成される。ここでは、スペーサ係止突起部３８は、第１係止突起部３８ａと、第２係止突起部３８ｂとを含んで構成される。第１係止突起部３８ａは、嵌合凹部３７を形成する軸方向前側の内壁面の外面３２ａ側とは反対側の端部に嵌合凹部３７側に突出して形成される。第２係止突起部３８ｂは、嵌合凹部３７を形成する軸方向後側の内壁面の外面３２ａ側とは反対側の端部に嵌合凹部３７側に突出して形成される。第１係止突起部３８ａと第２係止突起部３８ｂとは、第１係止突起部３８ａの方が相対的に開口部３７ａ側に近接して位置し、第２係止突起部３８ｂの方が相対的に開口部３７ａ側から離間して位置する。
【００３１】
スペーサ４は、図１、図７、図８、図９、図１０に示すように、コネクタハウジング３の嵌合凹部３７に嵌合可能に設けられ、端子２、ここでは、第２端子２Ｂを第２端子挿入室３４Ｂ内の正規位置に係止するものである。スペーサ４は、コネクタハウジング３に対して、端子挿入開口部３４ａとランス３５との間に着脱可能に組み付けられる。そして、スペーサ４は、嵌合凹部３７内において、仮嵌合位置と本嵌合位置とに移動可能である。スペーサ４の仮嵌合位置とは、端子挿入室３４、ここでは、第２端子挿入室３４Ｂに第２端子２Ｂを挿入可能とする位置である。スペーサ４の本嵌合位置とは、第２端子挿入室３４Ｂ内の正規位置まで挿入された第２端子２Ｂを係止する位置である。
【００３２】
具体的には、スペーサ４は、本体部４１と、係止板状部４２と、蓋状部４３とを有し、全体が絶縁性の合成樹脂材等によって一体で構成される。スペーサ４は、全体が嵌合凹部３７に嵌合可能な大きさ、形状に形成される。
【００３３】
本体部４１は、全体として略直方体に形成され、端子貫通孔４１ａ、及び、係止突起部４１ｂを有する。
【００３４】
端子貫通孔４１ａは、端子２が軸方向に沿って貫通可能な空間部である。端子貫通孔４１ａは、スペーサ４の本体部４１を貫通し当該本体部４１の内部に延在して中空状に形成される。端子貫通孔４１ａは、軸方向に沿って延在する。端子貫通孔４１ａは、端子２の外形形状に応じて当該端子２が貫通可能な大きさ、形状の空間部として形成され、ここでは、端子挿入室３４と同様に軸方向と直交する断面形状が略矩形状に形成される。端子貫通孔４１ａは、スペーサ４が嵌合凹部３７に嵌合し、嵌合凹部３７内の仮嵌合位置にある状態で、上段側の第２端子挿入室３４Ｂと連続する（後述の図１２参照）。これにより、スペーサ４は、仮嵌合位置にある状態で端子挿入開口部３４ａを介した第２端子挿入室３４Ｂへの第２端子２Ｂの挿入を許容することができる。ここでは、端子貫通孔４１ａは、上段側の第２端子挿入室３４Ｂの数と同様に幅方向に沿って５つが設けられる。
【００３５】
係止突起部４１ｂは、端子挿入室３４、ここでは、第２端子挿入室３４Ｂ内の正規位置まで挿入された第２端子２Ｂの被係止嵌合部２ｄに嵌合し当該第２端子２Ｂを係止するものである。係止突起部４１ｂは、上段側の第２端子挿入室３４Ｂに挿入された第２端子２Ｂを係止する上段係止突起部４１ｂａと、下段側の第２端子挿入室３４Ｂに挿入された第２端子２Ｂを係止する下段係止突起部４１ｂｂとを含む。上段係止突起部４１ｂａは、各端子貫通孔４１ａ内に１つずつ、合計５つが設けられる。上段係止突起部４１ｂａは、端子貫通孔４１ａを形成する高さ方向一方側（後述の蓋状部４３が位置する側）の壁面から端子貫通孔４１ａ側に突出して形成される。下段係止突起部４１ｂｂは、各端子貫通孔４１ａの外側に１つずつ、合計５つが設けられる。下段係止突起部４１ｂｂは、端子貫通孔４１ａを形成する高さ方向他方側の壁面から端子貫通孔４１ａとは反対側に突出して形成される。上段係止突起部４１ｂａ、下段係止突起部４１ｂｂは、軸方向に沿って棒状に延在して形成される。上段係止突起部４１ｂａは、スペーサ４が嵌合凹部３７に嵌合し、嵌合凹部３７内の仮嵌合位置にある状態で、上段側の第２端子挿入室３４Ｂから退避して位置する（図１２等参照）。これにより、端子貫通孔４１ａは、軸方向に沿って上段側の第２端子挿入室３４Ｂと連続し、第２端子挿入室３４Ｂに第２端子２Ｂを挿入可能な状態となる。上段係止突起部４１ｂａは、スペーサ４が嵌合凹部３７に嵌合し、嵌合凹部３７内の本嵌合位置にある状態で、連通口３７ｂ（図５、図１４参照）を介して上段側の第２端子挿入室３４Ｂに突出して当該第２端子挿入室３４Ｂ内に臨み、第２端子挿入室３４Ｂ内の正規位置まで挿入された第２端子２Ｂの被係止嵌合部２ｄに嵌合し当該第２端子２Ｂを係止する。同様に、下段係止突起部４１ｂｂは、スペーサ４が嵌合凹部３７に嵌合し、嵌合凹部３７内の仮嵌合位置にある状態で、下段側の第２端子挿入室３４Ｂから退避して位置し、これにより、下段側の第２端子挿入室３４Ｂに第２端子２Ｂを挿入可能な状態となる。下段係止突起部４１ｂｂは、スペーサ４が嵌合凹部３７に嵌合し、嵌合凹部３７内の本嵌合位置にある状態で、連通口３７ｃ（図５参照）を介して下段側の第２端子挿入室３４Ｂに突出して当該第２端子挿入室３４Ｂ内に臨み、第２端子挿入室３４Ｂ内の正規位置まで挿入された第２端子２Ｂの被係止嵌合部２ｄに嵌合し当該第２端子２Ｂを係止する。これにより、スペーサ４は、本嵌合位置にある状態で、上段係止突起部４１ｂａ、下段係止突起部４１ｂｂが第２端子挿入室３４Ｂ内の正規位置まで挿入されランス３５によって当該正規位置に係止された第２端子２Ｂと係合し、第２端子挿入室３４Ｂからの第２端子２Ｂの抜けを規制することができる。なお、以下の説明では、上段係止突起部４１ｂａ、下段係止突起部４１ｂｂを特に区別して説明する必要がない場合には、単に係止突起部４１ｂという。
【００３６】
係止板状部４２は、スペーサ４を嵌合凹部３７内の所定の位置に係止するための部分であり、本体部４１の幅方向両側に一対で設けられる。言い換えれば、上述の本体部４１は、幅方向に沿って間をあけて形成される一対の係止板状部４２の間に形成される。各係止板状部４２は、略Ｕ字型板状に形成される。より詳細には、各係止板状部４２は、軸方向に沿って延在する基端部４２ａと、基端部４２ａの軸方向前側の端部から高さ方向に沿って突出する第１アーム部４２ｂと、基端部４２ａの軸方向後側の端部から高さ方向に沿って突出する第２アーム部４２ｃとを含んで構成される。第１アーム部４２ｂ、第２アーム部４２ｃは、基端部４２ａから後述の蓋状部４３が位置する側とは反対側に向けて突出する。第１アーム部４２ｂは、中腹部に第１係止爪部４２ｄが形成され、高さ方向の先端部に第２係止爪部４２ｅが形成される。第１係止爪部４２ｄ、第２係止爪部４２ｅは、ともに第１アーム部４２ｂから軸方向前側に爪状に突出する。第２アーム部４２ｃは、高さ方向の先端部に第３係止爪部４２ｆが形成される。第３係止爪部４２ｆは、第２アーム部４２ｃから軸方向後側に爪状に突出する。係止板状部４２は、スペーサ４が嵌合凹部３７に嵌合し、嵌合凹部３７内の仮嵌合位置にある状態で、図６に二点鎖線で示すように、第１係止爪部４２ｄと第２係止爪部４２ｅとの間に第１係止突起部３８ａが介在し当該第１係止突起部３８ａに第２係止爪部４２ｅが係止されることで、スペーサ４を嵌合凹部３７内の仮嵌合位置に係止することができる。そして、係止板状部４２は、スペーサ４さらに押し込まれ、嵌合凹部３７内の本嵌合位置になると、第１係止爪部４２ｄが第１係止突起部３８ａを乗り越え当該第１係止突起部３８ａに第１係止爪部４２ｄが係止され、第２係止突起部３８ｂに第３係止爪部４２ｆが係止されることで、スペーサ４を嵌合凹部３７内の本嵌合位置に係止することができる。
【００３７】
蓋状部４３は、スペーサ４が嵌合凹部３７に嵌合し、嵌合凹部３７内の本嵌合位置にある状態で、嵌合凹部３７の開口部３７ａを塞ぐものである。蓋状部４３は、矩形板板状に形成され、本体部４１、及び、各係止板状部４２の高さ方向一方側の端部を連結するようにして一体で形成される。また、蓋状部４３は、幅方向の両端面に軸方向に沿った溝４３ａが形成されている。蓋状部４３は、スペーサ４が嵌合凹部３７に嵌合し、嵌合凹部３７内の仮嵌合位置にある状態では、その一部が嵌合凹部３７の開口部３７ａから外面３２ａの外側に突出して露出している（図２、図１２、図１３等参照）。一方、蓋状部４３は、スペーサ４が嵌合凹部３７に嵌合し、嵌合凹部３７内の本嵌合位置にある状態では、全体が嵌合凹部３７内に退避、収容され、開口部３７ａから外面３２ａの外側に突出した部分がない状態となる（図１４、図１５等参照）。なお、蓋状部４３は、一部に軸方向に沿った肉抜き部が形成されているが、当該肉抜き部を有さない構成であってもよい。
【００３８】
上記のように構成されるコネクタ１は、コネクタハウジング３に形成された各端子挿入室３４に対して、それぞれ軸方向後側から端子２が挿入される。より詳細には、コネクタ１は、端子２のうち第１端子２Ａが各第１端子挿入室３４Ａにそれぞれ１つずつ挿入され第１端子挿入室３４Ａ内の正規位置まで挿入された状態で、ランス３５によって第１端子挿入室３４Ａ内の正規位置に係止される。また、コネクタ１は、端子２のうち第２端子２Ｂが各第２端子挿入室３４Ｂにそれぞれ１つずつ挿入され第２端子挿入室３４Ｂ内の正規位置まで挿入された状態で、ランス３５によって第２端子挿入室３４Ｂ内の正規位置に係止される。この場合、コネクタ１は、まず、コネクタハウジング３の開口部３７ａを介してスペーサ４を嵌合凹部３７に嵌合させ、嵌合凹部３７内の仮嵌合位置に移動させた状態とされる。これにより、コネクタ１は、端子挿入開口部３４ａを介した第２端子挿入室３４Ｂへの第２端子２Ｂの挿入が許容される。そして、コネクタ１は、スペーサ４が嵌合凹部３７内の仮嵌合位置にある状態で、第２端子挿入室３４Ｂに第２端子２Ｂが挿入される。この状態では、コネクタ１は、スペーサ４の第２係止爪部４２ｅが第１係止突起部３８ａに係止された状態であり、蓋状部４３の一部が嵌合凹部３７の開口部３７ａから外面３２ａの外側に突出して露出している。この状態で、コネクタ１は、第２端子２Ｂが第２端子挿入室３４Ｂ内の正規位置まで挿入されると、ランス３５によって当該第２端子２Ｂが第２端子挿入室３４Ｂ内の正規位置に係止される。
【００３９】
その後、コネクタ１は、ランス３５によって第２端子２Ｂが第２端子挿入室３４Ｂ内の正規位置に係止された状態で、スペーサ４が嵌合凹部３７内にさらに押し込まれ本嵌合位置に移動されることで、係止突起部４１ｂを構成する上段係止突起部４１ｂａ、下段係止突起部４１ｂｂがそれぞれ各第２端子２Ｂの被係止嵌合部２ｄに嵌合し、第２端子２Ｂを第２端子挿入室３４Ｂ内の正規位置に二重係止する。つまり、第２端子挿入室３４Ｂ内における第２端子２Ｂの正規位置とは、第２端子２Ｂの被係止嵌合部２ｄにスペーサ４の係止突起部４１ｂ（上段係止突起部４１ｂａ、下段係止突起部４１ｂｂ）が嵌合し、当該スペーサ４によって第２端子２Ｂが係止される位置でもある。これにより、コネクタ１は、スペーサ４によって第２端子挿入室３４Ｂからの第２端子２Ｂの抜けを規制することができる。コネクタ１は、スペーサ４が嵌合凹部３７内の本嵌合位置にあり、スペーサ４によって第２端子２Ｂが二重係止された状態では、スペーサ４の第１係止爪部４２ｄが第１係止突起部３８ａに係止され、第３係止爪部４２ｆが第２係止突起部３８ｂに係止され、蓋状部４３の全体が嵌合凹部３７内に退避、収容され、開口部３７ａから外面３２ａの外側に突出した部分がない状態となる。
【００４０】
一方、スペーサ４は、仮に第２端子２Ｂが第２端子挿入室３４Ｂ内に挿入されかつ正規位置まで達してない状態では、上段係止突起部４１ｂａ、下段係止突起部４１ｂｂが第２端子２Ｂの被係止嵌合部２ｄ以外の他の部分、例えば、電気接続部２ａ、電線接続部２ｂ等に当接し高さ方向に沿った移動が規制されることで、仮嵌合位置から本嵌合位置への移動が不能である。これにより、コネクタ１は、第２端子２Ｂが第２端子挿入室３４Ｂ内の正規位置まで達しておらずランス３５によって適正に係止されていない状態では、スペーサ４が仮嵌合位置から本嵌合位置へ移動不能である構成であることで、スペーサ４を仮嵌合位置から本嵌合位置へ移動させられないことをもっていわゆる端子半挿入を検知することができる。
【００４１】
そして、コネクタ１は、第１端子２Ａ、第２端子２Ｂを含む各端子２が端子挿入室３４内の正規位置に係止され、各端子２の電気接続部２ａが嵌合空間部３３内に突出して位置した状態で、相手方コネクタＦＣのコネクタハウジングＦＣＨが嵌合空間部３３内に嵌合され、各端子ＦＣＴの内部に各端子２の電気接続部２ａが挿入されることで、各端子２と各端子ＦＣＴとが電気的に接続される。
【００４２】
そして、本実施形態のコネクタ１は、図１、図２、図３、図５等に示すように、コネクタハウジング３に設けられる第１空間部５１、及び、第２空間部５２を利用することによって、スペーサ４の状態を適正に検知することができる構成となっている。
【００４３】
具体的には、第１空間部５１は、スペーサ４の嵌合状態を検知するために用いられる第１嵌合検知用空間部である。第２空間部５２は、スペーサ４の嵌合状態を検知するために用いられる第２嵌合検知用空間部である。第１空間部５１、及び、第２空間部５２は、コネクタハウジング３の端子保持部３２に設けられ端子２の挿入方向に沿って端子挿入室３４と並行して延在し嵌合凹部３７と連続する。
【００４４】
本実施形態の第１空間部５１は、端子挿入室３４と同様に、端子保持部３２の内部に延在して中空状に形成され、軸方向に沿って延在する。第１空間部５１は、後述する検査治具１０１（図１１等参照）の外形形状に応じて当該検査治具１０１の第１ピン１０１ａが挿入可能な大きさ、形状の空間部として形成され、ここでは、軸方向と直交する断面形状が略矩形状に形成される。第１空間部５１は、軸方向後側に治具挿入開口部５１ａが形成され、軸方向前側に凹部側開口部５１ｂが形成され、当該凹部側開口部５１ｂを介して嵌合凹部３７と連通、連続する。つまり、第１空間部５１は、コネクタハウジング３の端子保持部３２において、端子挿入室３４の端子挿入開口部３４ａと同じ側の壁面に治具挿入開口部５１ａを有する。治具挿入開口部５１ａは、検査治具１０１の第１ピン１０１ａが挿入される開口部として端子保持部３２の外部に対して軸方向後側に向けて開口する。凹部側開口部５１ｂは、第１空間部５１が嵌合凹部３７と連続するための開口部として嵌合凹部３７に開口する。ここでは、第１空間部５１は、第２端子挿入室３４Ｂの外面３２ａ側に位置している。なお、第１空間部５１は、外面３２ａの一部である壁面３２ａａの剛性を補強する補強リブ５１ｃによって２つの空間部に分けて形成されているがこれに限らない。補強リブ５１ｃによって補強される壁面３２ａａは、外面３２ａの中でも高さ方向に沿って一段にせり上がった壁面であり、幅方向中央部で、かつ、軸方向後側に位置し、ここでは、第１空間部５１の高さ方向外側に位置する。この壁面３２ａａは、後述する検査治具１０１やクリップ２００等のあて面を構成する。上述の嵌合凹部３７の開口部３７ａは、壁面３２ａａに略矩形状に形成される。
【００４５】
本実施形態の第２空間部５２は、端子保持部３２の外側に形成され、軸方向に沿って延在する。第２空間部５２は、端子保持部３２の外面３２ａ側に形成される。第２空間部５２は、外面３２ａの一部を構成する上記壁面３２ａａと、外面３２ａから突出する第１側壁３２ｂ、第２側壁３２ｃ、第３側壁３２ｄ、第４側壁３２ｅとによって区画される。第１側壁３２ｂ、第２側壁３２ｃ、第３側壁３２ｄ、第４側壁３２ｅは、外面３２ａの壁面３２ａａの軸方向に沿った縁部に沿って軸方向に延在する。第１側壁３２ｂと第２側壁３２ｃとは、嵌合凹部３７の開口部３７ａを挟んで軸方向に対向し、第３側壁３２ｄと第４側壁３２ｅとは、嵌合凹部３７の開口部３７ａを挟んで軸方向に対向する。また、第１側壁３２ｂと第３側壁３２ｄとは、端子保持部３２の外面３２ａの軸方向後側端部に形成され、壁面３２ａａを挟んで幅方向に対向する。第１側壁３２ｂと第３側壁３２ｄとは、基端部が高さ方向に沿って突出すると共に先端部が互いに向けて屈曲する。第２側壁３２ｃと第４側壁３２ｅとは、端子保持部３２の外面３２ａの軸方向前側端部、言い換えれば、フード部３１側の端部に形成され、壁面３２ａａを挟んで幅方向に対向する。第２側壁３２ｃと第４側壁３２ｅとは、基端部が高さ方向に沿って突出すると共に先端部が互いに向けて屈曲する。第２空間部５２は、これら壁面３２ａａ、第１側壁３２ｂ、第２側壁３２ｃ、第３側壁３２ｄ、第４側壁３２ｅによって区画される空間部として形成され、高さ方向に対して壁面３２ａａを挟んで第１空間部５１の外側に位置する。第２空間部５２は、後述する検査治具１０１（図１１等参照）の外形形状に応じて当該検査治具１０１の第２ピン１０１ｂが挿入可能な大きさ、形状の空間部として形成される。第２空間部５２は、軸方向後側に治具挿入開口部５２ａが形成され、軸方向前側に凹部側開口部５２ｂが形成され、当該凹部側開口部５２ｂ側が嵌合凹部３７と連続する。つまり、第２空間部５２は、コネクタハウジング３の端子保持部３２において、端子挿入開口部３４ａと同じ側の壁面に治具挿入開口部５２ａを有する。治具挿入開口部５２ａは、第１側壁３２ｂ、第３側壁３２ｄ、及び、壁面３２ａａの軸方向後側の端部によって形成され、検査治具１０１の第２ピン１０１ｂが挿入される開口部として端子保持部３２の外部に対して軸方向後側に向けて開口する。凹部側開口部５２ｂは、第１側壁３２ｂ、第３側壁３２ｄ、及び、壁面３２ａａの軸方向前側の端部によって形成され、端子保持部３２の外部に対して軸方向前側に向けて開口する。第２空間部５２は、軸方向中央部に嵌合凹部３７の開口部３７ａが開口し連続する。
【００４６】
そして、第１空間部５１と第２空間部５２とは、図１１に示すように、嵌合凹部３７にスペーサ４が設けられておらず、当該嵌合凹部３７が開放された状態でともに嵌合凹部３７側が開放される。つまり、第１空間部５１と第２空間部５２とは、嵌合凹部３７が開放された状態で、凹部側開口部５１ｂ、５２ｂがともに開放された状態となる。
【００４７】
第１空間部５１と第２空間部５２とは、図１２、図１３に示すように、スペーサ４が仮嵌合位置にある状態でスペーサ４によってともに嵌合凹部３７側の少なくとも一部が閉塞される。この場合、スペーサ４は、蓋状部４３が第１空間部５１の嵌合凹部３７側の一部を塞ぐとともに、当該蓋状部４３の一部が嵌合凹部３７の開口部３７ａから第２空間部５２側に突出し当該第２空間部５２の嵌合凹部３７側の一部を塞ぐ。つまり、第１空間部５１と第２空間部５２とは、スペーサ４が仮嵌合位置にある状態で、凹部側開口部５１ｂ、５２ｂの少なくとも一部がともにスペーサ４の蓋状部４３によって閉塞された状態となる。なお、蓋状部４３は、上述したように一部に肉抜き部が形成されており、凹部側開口部５１ｂ、５２ｂを塞ぐ状態で当該肉抜き部が凹部側開口部５１ｂ、５２ｂと対向する場合があるが、この場合でも凹部側開口部５１ｂ、５２ｂの少なくとも一部を塞ぐ状態となる。
【００４８】
第１空間部５１と第２空間部５２とは、図１４、図１５に示すように、スペーサ４が本嵌合位置にある状態でスペーサ４によって第１空間部５１の嵌合凹部３７側の少なくとも一部が閉塞され第２空間部５２の嵌合凹部３７側が開放された状態となる。この場合、スペーサ４は、全体が嵌合凹部３７内に退避、収容され、開口部３７ａから第２空間部５２側に突出した部分がない状態となる。これにより、スペーサ４は、蓋状部４３が第１空間部５１の嵌合凹部３７側の一部を塞ぐ一方、第２空間部５２の嵌合凹部３７側を開放する。つまり、第１空間部５１と第２空間部５２とは、スペーサ４が本嵌合位置にある状態で、凹部側開口部５１ｂの少なくとも一部がスペーサ４の蓋状部４３によって閉塞され、凹部側開口部５２ｂが開放された状態となる。
【００４９】
そして、本実施形態のコネクタ１は、上記のように構成される第１空間部５１、及び、第２空間部５２に挿入される検査治具１０１のストローク量に応じてスペーサ４の状態が検知される。ここでは、コネクタ１は、図１１、図１２、図１４に示すように、検査治具１０１を備えたコネクタ検査装置（チェッカーフィクスチャー等）１００によってスペーサ４の状態が検知される。
【００５０】
ここで、コネクタ検査装置１００の構成について説明する。コネクタ検査装置１００は、検査治具１０１と、治具駆動部１０２と、検出部１０３と、検知部としての制御部１０４とを備える。
【００５１】
検査治具１０１は、第１空間部５１、及び、第２空間部５２に挿入されるものである。より詳細には、検査治具１０１は、第１挿入部としての第１ピン１０１ａと、第２挿入部としての第２ピン１０１ｂと、連結部１０１ｃとを有する。第１ピン１０１ａは、棒状に形成され、第１空間部５１に挿入されるものである。第２ピン１０１ｂは、棒状に形成され、第２空間部５２に挿入されるものである。連結部１０１ｃは、第１ピン１０１ａと第２ピン１０１ｂとを連結するものである。そして、検査治具１０１は、第１ピン１０１ａと第２ピン１０１ｂとが連結部１０１ｃによって連結された状態で、第１ピン１０１ａと第２ピン１０１ｂとが同方向に並行して突出すると共に、第１ピン１０１ａより第２ピン１０１ｂの方が長く形成される。なお、第１ピン１０１ａ、第２ピン１０１ｂは、外形が蓋状部４３の肉抜き部より大きくなるように形成され、あるいは、第１空間部５１、第２空間部５２に対して蓋状部４３の肉抜き部から外れた位置に挿入されるように位置決めされる。
【００５２】
治具駆動部１０２は、検査治具１０１を軸方向に沿って往復移動させるものである。治具駆動部１０２は、例えば、ソレノイド、モータ等の動力源と、動力源が発生させた動力を検査治具１０１に伝達し当該検査治具１０１を軸方向に沿って往復移動させる動力伝達部等を含んで構成される。
【００５３】
検出部１０３は、検査治具１０１のストローク量を検出するものであり、例えば、ストロークセンサ等の種々の検出器が用いられる。ここで、検査治具１０１のストローク量とは、軸方向に沿った検査治具１０１の移動量に相当する。
【００５４】
制御部１０４は、検出部１０３によって検出される検査治具１０１のストローク量に基づいてスペーサ４の状態を検知するものであり、ここでは、治具駆動部１０２を含むコネクタ検査装置１００の各部を制御する制御装置によって構成される。制御部１０４は、治具駆動部１０２と検出部１０３とに電気的に接続されており、治具駆動部１０２に各種制御信号を出力すると共に、検出部１０３から検出結果に基づいた検出信号が入力される。制御部１０４は、治具駆動部１０２に制御信号を出力することで当該治具駆動部１０２の駆動を制御し検査治具１０１を軸方向に沿って第１空間部５１、第２空間部５２側に移動させる処理を実行可能である。そして、制御部１０４は、検査治具１０１を軸方向に沿って移動させる処理を実行した際に、検出部１０３によって検出される検査治具１０１のストローク量に基づいてスペーサ４の状態を検知する。
【００５５】
具体的には、制御部１０４は、検出部１０３によって検出される検査治具１０１のストローク量が予め設定される本嵌合判定閾値と同等である場合にスペーサ４が本嵌合位置にあるものと検知する。ここで、本嵌合判定閾値は、図１４に示すように、スペーサ４が本嵌合位置にあり、第１空間部５１の嵌合凹部３７側の少なくとも一部が閉塞され第２空間部５２の嵌合凹部３７側が開放された状態で可能となる検査治具１０１のストローク量に相当する値として予め設定され記憶部に記憶されている。上述したように第１空間部５１と第２空間部５２とは、スペーサ４が本嵌合位置にある場合、凹部側開口部５１ｂがスペーサ４の蓋状部４３によって閉塞され、凹部側開口部５２ｂが開放された状態となる。このため、コネクタ検査装置１００は、検査治具１０１を軸方向に沿って移動させ第１空間部５１、第２空間部５２に挿入すると、第２ピン１０１ｂが凹部側開口部５２ｂを貫通する一方、第１ピン１０１ａが凹部側開口部５１ｂにて蓋状部４３と当接し、検査治具１０１の軸方向に沿った移動が規制される。スペーサ４が本嵌合位置にある状態で、第１ピン１０１ａが蓋状部４３と当接するまでのストローク量は、上述の本嵌合判定閾値に相当する。したがって、制御部１０４は、検出部１０３によって検出される検査治具１０１のストローク量が本嵌合判定閾値と同等である場合に、第１ピン１０１ａが凹部側開口部５１ｂにて蓋状部４３と当接し検査治具１０１の軸方向に沿った移動が規制された状態であり、すなわち、スペーサ４が本嵌合位置にあるものと検知することができる。
【００５６】
そして、制御部１０４は、検出部１０３によって検出される検査治具１０１のストローク量が本嵌合判定閾値より短い場合にスペーサ４が仮嵌合位置にあるものと検知する。上述したように第１空間部５１と第２空間部５２とは、スペーサ４が仮嵌合位置にある場合、図１２に示すように、スペーサ４によってともに嵌合凹部３７側の少なくとも一部が閉塞され、凹部側開口部５１ｂ、５２ｂがともにスペーサ４の蓋状部４３によって閉塞された状態となる。このため、コネクタ検査装置１００は、検査治具１０１を軸方向に沿って移動させ第１空間部５１、第２空間部５２に挿入すると、第１ピン１０１ａが凹部側開口部５１ｂにて蓋状部４３と当接する前に、第２ピン１０１ｂが凹部側開口部５２ｂにて蓋状部４３と当接し、検査治具１０１の軸方向に沿った移動が規制される。つまり、検査治具１０１のストローク量は、スペーサ４が仮嵌合位置にある場合、スペーサ４が本嵌合位置にある場合のストローク量、すなわち、本嵌合判定閾値より短くなる。したがって、制御部１０４は、検出部１０３によって検出される検査治具１０１のストローク量が本嵌合判定閾値より短い場合に第２ピン１０１ｂが凹部側開口部５２ｂにて蓋状部４３と当接し検査治具１０１の軸方向に沿った移動が規制された状態であり、すなわち、スペーサ４が仮嵌合位置にあるものと検知することができる。
【００５７】
一方、制御部１０４は、検出部１０３によって検出される検査治具１０１のストローク量が本嵌合判定閾値より長い場合にスペーサ４が嵌合凹部３７に設けられていないものと検知する。上述したように第１空間部５１と第２空間部５２とは、嵌合凹部３７にスペーサ４が設けられておらず、当該嵌合凹部３７が開放されている場合、図１１に示すように、ともに嵌合凹部３７側が開放され、凹部側開口部５１ｂ、５２ｂがともに開放された状態となる。このため、コネクタ検査装置１００は、検査治具１０１を軸方向に沿って移動させ第１空間部５１、第２空間部５２に挿入すると、第１ピン１０１ａ、第２ピン１０１ｂがそれぞれ凹部側開口部５１ｂ、５２ｂを貫通し、検査治具１０１のストローク量が本嵌合判定閾値となっても検査治具１０１の軸方向に沿った移動が規制されない。つまり、検査治具１０１のストローク量は、嵌合凹部３７が開放されている場合、スペーサ４が本嵌合位置にある場合のストローク量、すなわち、本嵌合判定閾値より長くなる。したがって、制御部１０４は、検出部１０３によって検出される検査治具１０１のストローク量が本嵌合判定閾値より長い場合に第１ピン１０１ａ、第２ピン１０１ｂが凹部側開口部５１ｂ、５２ｂにて蓋状部４３と当接せず検査治具１０１の軸方向に沿った移動が規制されない状態であり、すなわち、スペーサ４が嵌合凹部３７に設けられていないものと検知することができる。これにより、制御部１０４は、スペーサ４が嵌合凹部３７に設けられていないこと、例えば、スペーサ４の取り付け忘れを検知することができる。
【００５８】
なお、本実施形態のコネクタハウジング３は、図１、図１５、図１６に示すように、さらに、当該コネクタハウジング３を車両ボデー等の固定部に保持するための保持部材としてのクリップ２００が設けられると共に嵌合凹部３７が開口する保持部材設置空間部としてのクリップ設置空間部５３を有している。ここでは、コネクタハウジング３は、上述した第２空間部５２がクリップ設置空間部５３として兼用される。クリップ２００は、クリップ設置空間部５３に嵌合される基部２０１と、基部２０１から立設され車両ボデー等の固定部に係合される２つの係合突起部２０２と、クリップ２００をコネクタハウジング３に係止する係止爪部２０３とが一体で形成される。クリップ２００は、基部２０１がクリップ設置空間部５３として兼用される第２空間部５２に対して治具挿入開口部５２ａを介して軸方向に沿ってスライド嵌合され、係止爪部２０３がフード部３１上に形成された係止突起部３１ａに係止される。クリップ設置空間部５３として兼用される第２空間部５２を区画する第１側壁３２ｂ、第２側壁３２ｃ、第３側壁３２ｄ、及び、第４側壁３２ｅは、クリップ２００を第２空間部５２にスライド嵌合する際のガイドレールとして機能すると共に、幅方向に沿って第２空間部５２側に屈曲した先端部が第２空間部５２に設けられたクリップ２００を保持することでハウジング側保持部としても機能する。
【００５９】
ここで、スペーサ４は、上述したように、仮嵌合位置で少なくとも蓋状部４３の一部が嵌合凹部３７のクリップ設置空間部５３側への開口部３７ａからクリップ設置空間部５３として兼用される第２空間部５２に突出し、本嵌合位置で当該一部が第２空間部５２から退避している。このため、このクリップ２００は、スペーサ４が仮嵌合位置にある状態では、クリップ設置空間部５３として兼用される第２空間部５２に突出した蓋状部４３の一部と当接することで、第２空間部５２へのスライド嵌合が規制され、第２空間部５２への設置が阻止されることとなる。
【００６０】
なお、本実施形態のコネクタハウジング３は、図２、図１７、図１８に示すように、嵌合凹部３７の開口部３７ａの幅方向両側に隣接して設けられた解除治具挿入開口部３９を有する（図２、図１７、図１８には一方のみを図示している。）。解除治具挿入開口部３９は、棒状に形成されたスペーサ解除用治具３００を挿入するための開口であり、スペーサ４が嵌合凹部３７内に嵌合した状態で、スペーサ４の溝４３ａと嵌合凹部３７の外部とを連通する。そして、コネクタハウジング３は、この解除治具挿入開口部３９を形成する壁面がテーパ面（傾斜面）３９ａによって構成される。テーパ面３９ａは、コネクタハウジング３の端子保持部３２の外面３２ａから、嵌合凹部３７を形成する壁面において嵌合凹部３７内に嵌合したスペーサ４の溝４３ａが位置する深さまで、高さ方向、及び、幅方向に対して傾斜して延在する。これにより、コネクタ１は、図１７に示すように、スペーサ解除用治具３００を解除治具挿入開口部３９に挿入する際に当該スペーサ解除用治具３００の先端をテーパ面３９ａによってスペーサ４の溝４３ａ側へ案内することができるので、例えば、スペーサ解除用治具３００の先端がコネクタハウジング３の他の部位に突き当たって引っ掛かることを抑制することができる。この結果、コネクタ１は、スペーサ４の溝４３ａにスペーサ解除用治具３００の先端を引っ掛かける際の作業性を向上することができる。そして、コネクタ１は、スペーサ解除用治具３００の先端がスペーサ４の溝４３ａに掛かった状態で、図１８に示すように、当該スペーサ解除用治具３００をてこのように利用することで嵌合凹部３７からスペーサ４を引く抜くことができる。
【００６１】
以上で説明したコネクタ１によれば、第２端子２Ｂを挿入可能である第２端子挿入室３４Ｂ、及び、第２端子挿入室３４Ｂと交差する方向に延在し当該第２端子挿入室３４Ｂと連続する嵌合凹部３７とを有するコネクタハウジング３と、嵌合凹部３７に嵌合可能に設けられ、当該嵌合凹部３７内において、第２端子挿入室３４Ｂに第２端子２Ｂを挿入可能とする仮嵌合位置と第２端子挿入室３４Ｂ内の正規位置まで挿入された第２端子２Ｂを係止する本嵌合位置とに移動可能であると共に、第２端子２Ｂが第２端子挿入室３４Ｂ内に挿入されかつ正規位置まで達してない状態では仮嵌合位置から本嵌合位置へ移動不能であるスペーサ４と、コネクタハウジング３に治具挿入開口部５１ａを有し延在して設けられ嵌合凹部３７と連続する第１空間部５１と、コネクタハウジング３に治具挿入開口部５２ａを有し第１空間部５１と並行して延在して設けられ嵌合凹部３７と連続する第２空間部５２とを備え、第１空間部５１と第２空間部５２とは、嵌合凹部３７が開放された状態でともに嵌合凹部３７側が開放され、スペーサ４が仮嵌合位置にある状態でスペーサ４によってともに嵌合凹部３７側の少なくとも一部が閉塞され、スペーサ４が本嵌合位置にある状態でスペーサ４によって第１空間部５１の嵌合凹部３７側の少なくとも一部が閉塞され第２空間部５２の嵌合凹部３７側が開放される。
【００６２】
以上で説明したワイヤハーネスＷＨによれば、電線Ｗと、電線Ｗの末端に接続された上記コネクタ１とを備える。
【００６３】
以上で説明したコネクタ検査装置１００によれば、上記コネクタ１の第１空間部５１、及び、第２空間部５２に挿入される検査治具１０１と、検査治具１０１のストローク量を検出する検出部１０３と、検出部１０３によって検出される検査治具１０１のストローク量に基づいてスペーサ４の状態を検知する制御部１０４とを備える。
【００６４】
したがって、コネクタ１、ワイヤハーネスＷＨ、コネクタ検査装置１００は、スペーサ４がコネクタハウジング３の嵌合凹部３７内において仮嵌合位置にある状態で第２端子挿入室３４Ｂに第２端子２Ｂを挿入することができると共に、当該第２端子２Ｂが第２端子挿入室３４Ｂ内の正規位置まで挿入された状態で当該スペーサ４を本嵌合位置に移動し当該第２端子２Ｂを第２端子挿入室３４Ｂ内に係止することができる。このとき、コネクタ１、ワイヤハーネスＷＨ、コネクタ検査装置１００は、第２端子２Ｂが第２端子挿入室３４Ｂ内に挿入されかつ正規位置まで達してない状態では、スペーサ４が仮嵌合位置から本嵌合位置へ移動不能である。これにより、コネクタ１、ワイヤハーネスＷＨ、コネクタ検査装置１００は、スペーサ４が仮嵌合位置から本嵌合位置へ移動不能である場合に、第２端子２Ｂが正規位置まで挿入されていないことを検知することができる。そして、コネクタ１、ワイヤハーネスＷＨ、コネクタ検査装置１００は、コネクタハウジング３に設けられた第１空間部５１、第２空間部５２の嵌合凹部３７側の状態に基づいて、スペーサ４がコネクタハウジング３の嵌合凹部３７に設けられておらず当該嵌合凹部３７が開放されている状態と、スペーサ４が嵌合凹部３７内の仮嵌合位置にある状態と、スペーサ４が嵌合凹部３７内の本嵌合位置にある状態とを区別して検知することができる。より詳細には、コネクタ１、ワイヤハーネスＷＨ、コネクタ検査装置１００は、第１空間部５１、第２空間部５２の嵌合凹部３７側が開放されているか、スペーサ４によって少なくとも一部が閉塞されているかに基づいて、上記のスペーサ４の状態を区別して検知することができる。これにより、コネクタ１、ワイヤハーネスＷＨ、コネクタ検査装置１００は、スペーサ４の状態を適正に検知することができる。
【００６５】
さらに、以上で説明したコネクタ１、ワイヤハーネスＷＨ、コネクタ検査装置１００によれば、コネクタハウジング３は、当該コネクタハウジング３を固定部に保持するためのクリップ２００が設けられると共に嵌合凹部３７が開口するクリップ設置空間部５３を有し、スペーサ４は、仮嵌合位置で少なくとも一部が嵌合凹部３７のクリップ設置空間部５３側への開口部３７ａからクリップ設置空間部５３に突出し、本嵌合位置で当該一部がクリップ設置空間部５３から退避している。したがって、コネクタ１、ワイヤハーネスＷＨ、コネクタ検査装置１００は、スペーサ４が仮嵌合位置にある状態では、クリップ設置空間部５３に突出したスペーサ４の一部とクリップ２００とが当接することで、クリップ設置空間部５３への嵌合が規制され、クリップ設置空間部５３への設置が阻止される。これにより、コネクタ１、ワイヤハーネスＷＨ、コネクタ検査装置１００は、クリップ２００をクリップ設置空間部５３へ移動させられず設置が阻止されることをもってスペーサ４が仮嵌合位置に位置していること、ひいては、端子半挿入を検知することできる。この結果、コネクタ１、ワイヤハーネスＷＨ、コネクタ検査装置１００は、仮に第１空間部５１、第２空間部５２の嵌合凹部３７側の状態に基づいたスペーサ４の状態検知で、スペーサ４が仮嵌合位置にある状態を検知漏れした場合であっても、スペーサ４が仮嵌合位置に位置していること、ひいては、端子半挿入を検知することを物理的に検知することができる。
【００６６】
さらに、以上で説明したコネクタ１、ワイヤハーネスＷＨ、コネクタ検査装置１００によれば、第２空間部５２は、クリップ設置空間部５３として兼用される。したがって、コネクタ１、ワイヤハーネスＷＨ、コネクタ検査装置１００は、第２空間部５２とクリップ設置空間部５３とを別個に設けなくてもよいので、省スペース化を図ることができ、大型化を抑制することができる。
【００６７】
さらに、以上で説明したコネクタ１、ワイヤハーネスＷＨ、コネクタ検査装置１００によれば、第１空間部５１、及び、第２空間部５２に挿入される検査治具１０１のストローク量に応じてスペーサ４の状態が検知される。したがって、コネクタ１、ワイヤハーネスＷＨ、コネクタ検査装置１００は、第１空間部５１、及び、第２空間部５２に挿入される検査治具１０１のストローク量に応じて簡単に上記のスペーサ４の状態を区別して検知することができる。
【００６８】
さらに、以上で説明したコネクタ１、ワイヤハーネスＷＨ、コネクタ検査装置１００によれば、検査治具１０１は、第１空間部５１に挿入される第１ピン１０１ａと、第２空間部５２に挿入される第２ピン１０１ｂと、第１ピン１０１ａと第２ピン１０１ｂとを連結する連結部１０１ｃとを有し、第１ピン１０１ａと第２ピン１０１ｂとが連結部１０１ｃによって連結された状態で第１ピン１０１ａより第２ピン１０１ｂの方が長く形成され、制御部１０４は、検出部１０３によって検出される検査治具１０１のストローク量が予め設定される本嵌合判定閾値と同等である場合にスペーサ４が本嵌合位置にあるものと検知し、検出部１０３によって検出される検査治具１０１のストローク量が本嵌合判定閾値より短い場合にスペーサ４が仮嵌合位置にあるものと検知し、検出部１０３によって検出される検査治具１０１のストローク量が本嵌合判定閾値より長い場合にスペーサ４が嵌合凹部３７に設けられていないものと検知する。したがって、コネクタ１、ワイヤハーネスＷＨ、コネクタ検査装置１００は、第１空間部５１、第２空間部５２に対して検査治具１０１を１回挿入するだけで、短時間で効率的に上記のスペーサ４の状態を区別して検知することができるので、例えば、製造効率を向上することができる。
【００６９】
なお、上述した本発明の実施形態に係るコネクタは、上述した実施形態に限定されず、特許請求の範囲に記載された範囲で種々の変更が可能である。
【００７０】
図１９は、変形例に係るコネクタが備えるスペーサの概略構成を表す斜視図である。図２０は、変形例に係るコネクタの概略構成を表す斜視図である。
【００７１】
図１９、図２０に示す本変形例に係るコネクタ１Ａは、スペーサ４にかえて係止部材としてのスペーサ４Ａを備える。コネクタ１Ａは、このスペーサ４Ａ以外は上述のコネクタ１とほぼ同様の構成である。
【００７２】
本変形例のスペーサ４Ａは、係止部材側保持部としての第１側壁４３ｂ、及び、第２側壁４３ｃを有する。スペーサ４Ａは、この第１側壁４３ｂ、第２側壁４３ｃ以外は上述のスペーサ４とほぼ同様の構成である。第１側壁４３ｂ、第２側壁４３ｃは、スペーサ４Ａの蓋状部４３から高さ方向に沿って本体部４１側とは反対側に突出する。第１側壁４３ｂ、第２側壁４３ｃは、蓋状部４３の軸方向に沿った縁部に沿って軸方向に延在する。第１側壁４３ｂと第２側壁４３ｃとは、蓋状部４３を挟んで幅方向に対向する。第１側壁４３ｂと第２側壁４３ｃとは、基端部が高さ方向に沿って突出すると共に先端部が互いに向けて屈曲する。そして、第１側壁４３ｂは、スペーサ４Ａが本嵌合位置にある状態で、軸方向に対してコネクタハウジング３側の第１側壁３２ｂと第２側壁３２ｃとの間に位置し、これら第１側壁３２ｂ、第２側壁３２ｃと軸方向に沿って連続し、クリップ設置空間部５３として兼用される第２空間部５２を区画する。同様に、第２側壁４３ｃは、スペーサ４Ａが本嵌合位置にある状態で、軸方向に対してコネクタハウジング３側の第３側壁３２ｄと第４側壁３２ｅとの間に位置し、これら第３側壁３２ｄ、第４側壁３２ｅと軸方向に沿って連続し、クリップ設置空間部５３として兼用される第２空間部５２を区画する。そして、第１側壁４３ｂ、第２側壁４３ｃは、コネクタハウジング３側の第１側壁３２ｂ、第２側壁３２ｃ、第３側壁３２ｄ、及び、第４側壁３２ｅと共に、クリップ２００を第２空間部５２にスライド嵌合する際のガイドレールとして機能すると共に、幅方向に沿って第２空間部５２側に屈曲した先端部が第２空間部５２に設けられたクリップ２００を保持することで係止部材側保持部としても機能する。
【００７３】
以上で説明したコネクタ１Ａによれば、コネクタハウジング３は、クリップ設置空間部５３を区画すると共にクリップ設置空間部５３に設けられたクリップ２００を保持する第１側壁３２ｂ、第２側壁３２ｃ、第３側壁３２ｄ、第４側壁３２ｅを有し、スペーサ４Ａは、本嵌合位置で第１側壁３２ｂ、第２側壁３２ｃ、第３側壁３２ｄ、第４側壁３２ｅと連続してクリップ設置空間部５３を区画すると共にクリップ設置空間部５３に設けられたクリップ２００を保持する第１側壁４３ｂ、第２側壁４３ｃを有する。したがって、コネクタ１Ａは、コネクタハウジング３側の第１側壁３２ｂ、第２側壁３２ｃ、第３側壁３２ｄ、第４側壁３２ｅとスペーサ４Ａ側の第１側壁４３ｂ、第２側壁４３ｃとによってクリップ２００を確実に保持することができるので、例えば、車両振動等に応じてがたつくことを抑制することができ、異音の発生等を抑制することができる。さらに、コネクタ１Ａは、コネクタハウジング３側の第１側壁３２ｂ、第２側壁３２ｃ、第３側壁３２ｄ、第４側壁３２ｅとスペーサ４Ａ側の第１側壁４３ｂ、第２側壁４３ｃとが連続するので、クリップ２００を第２空間部５２にスライド嵌合させやすくすることができ、また、検査治具１０１の挿入作業性も向上することができ、検知精度も向上することができる。また、コネクタ１Ａは、スペーサ４Ａの第１側壁４３ｂ、第２側壁４３ｃが作業員の手や自動機によって掴まれる際の掴み代として機能することができるので、スペーサ４Ａをコネクタハウジング３に組み付ける際の作業性を向上することができる。
【００７４】
また、以上の説明では、コネクタ１、１Ａは、オス型のコネクタであるものとして説明したがこれに限らず、メス型のコネクタに適用されてもよく、端子２は、メス型の端子であってもよい。また、コネクタ１、１Ａは、例えば、上述のような非防水コネクタであってもよいし、防水コネクタであってもよい。
【００７５】
以上の説明では、複数の端子２は、第１端子２Ａと第２端子２Ｂとの２種類を含んで構成され、端子挿入室３４は、第１端子挿入室３４Ａと第２端子挿入室３４Ｂとを含んで構成されるものとして説明したがこれに限らず、スペーサ４、４Ａによって係止される端子２を含めば１種類でもよいし３種類以上でもよい。
【００７６】
以上の説明では、コネクタ検査装置１００によってスペーサ４、４Ａの状態を検知するものとして説明したがこれに限らず、検査治具１０１を用いて作業員が手動でスペーサ４、４Ａの状態を検知してもよいし、検査治具１０１を用いずに作業員が目視でスペーサ４、４Ａの状態を検知してもよい。また、検査治具１０１は、第１ピン１０１ａ、第２ピン１０１ｂ、及び、連結部１０１ｃを含んで構成されるものとして説明したがこれに限らず、１本のピンを第１空間部５１と第２空間部５２とに個別に挿入することでスペーサ４、４Ａの状態を検知するようにしてもよい。また、以上の説明では、検査治具１０１を構成する第１挿入部、及び、第２挿入部は、棒状に形成された第１ピン１０１ａ、第２ピン１０１ｂであるものとして説明したがこれに限らず、第１空間部５１、第２空間部５２に挿入されるものであれば板状等であってもよい。
【００７７】
以上の説明では、コネクタハウジング３は、第２空間部５２がクリップ設置空間部５３として兼用されるものとして説明したがこれに限らず、第２空間部５２とクリップ設置空間部５３とが別個に形成されてもよい。例えば、クリップ設置空間部５３は、幅方向に沿って延在する空間部であってもよく、当該クリップ設置空間部５３に嵌合凹部３７の開口部３７ａが開口する構成であればよい。また、コネクタ１は、そもそもクリップ設置空間部５３を備えず、クリップ２００が設けられない構成であってもよい。また、保持部材は、クリップ２００であるものとして説明したがこれに限らず、車両ボデーに直接設けられた保持ブラケット等であってもよいし、ジャンクションボックス、ヒューズボックス、リレーボックス等の電気接続箱の筐体に設けられた保持係止片等であってもよい。
【００７８】
以上の説明では、第１空間部５１は、コネクタハウジング３に設けられ第２端子２Ｂの挿入方向に沿って第２端子挿入室３４Ｂと並行して延在し嵌合凹部３７と連続するものとして説明したが、コネクタハウジング３に治具挿入開口部５１ａを有し延在して設けられ嵌合凹部３７と連続するものであればよい。同様に、第２空間部５２は、コネクタハウジング３に設けられ第２端子２Ｂの挿入方向に沿って第２端子挿入室３４Ｂ、及び、第１空間部５１と並行して延在し嵌合凹部３７と連続するものとして説明したが、コネクタハウジング３に治具挿入開口部５２ａを有し第１空間部５１と並行して延在して設けられ嵌合凹部３７と連続するものであればよい。つまり、第１空間部５１と第２空間部５２とは、例えば、第２端子２Ｂの挿入方向、さらに言えば、第２端子挿入室３４Ｂの延在方向と交差する方向に沿って延在して形成されてもよい。
【符号の説明】
【００７９】
１、１Ａ    コネクタ
２    端子
２Ａ    第１端子
２Ｂ    第２端子
３    コネクタハウジング（ハウジング）
４、４Ａ    スペーサ（係止部材）
３２ｂ    第１側壁（ハウジング側保持部）
３２ｃ    第２側壁（ハウジング側保持部）
３２ｄ    第３側壁（ハウジング側保持部）
３２ｅ    第４側壁（ハウジング側保持部）
３４    端子挿入室
３４Ａ    第１端子挿入室
３４Ｂ    第２端子挿入室
３７    嵌合凹部
３７ａ    開口部
４３ｂ    第１側壁（係止部材側保持部）
４３ｃ    第２側壁（係止部材側保持部）
５１    第１空間部
５１ａ、５２ａ  治具挿入開口部（開口部）
５２    第２空間部
５３    クリップ設置空間部（保持部材設置空間部）
１００    コネクタ検査装置
１０１    検査治具
１０１ａ    第１ピン（第１挿入部）
１０１ｂ    第２ピン（第２挿入部）
１０３    検出部
１０４    制御部（検知部）
２００    クリップ（保持部材）
Ｗ    電線
ＷＨ    ワイヤハーネス
【図１】
2017033663.tif 000003
【図２】
2017033663.tif 000004
【図３】
2017033663.tif 000005
【図４】
2017033663.tif 000006
【図５】
2017033663.tif 000007
【図６】
2017033663.tif 000008
【図７】
2017033663.tif 000009
【図８】
2017033663.tif 000010
【図９】
2017033663.tif 000011
【図１０】
2017033663.tif 000012
【図１１】
2017033663.tif 000013
【図１２】
2017033663.tif 000014
【図１３】
2017033663.tif 000015
【図１４】
2017033663.tif 000016
【図１５】
2017033663.tif 000017
【図１６】
2017033663.tif 000018
【図１７】
2017033663.tif 000019
【図１８】
2017033663.tif 000020
【図１９】
2017033663.tif 000021
【図２０】
2017033663.tif 000022